(57)【要約】【課題】  複数画面を連携させた情報表示において、効果的な情報表示の技術の提供。【解決手段】  携帯電話１から地図情報画面上でキャラクタが吸着している店舗の詳細情報を詳細情報画面に表示させると、  サーバ２は地図情報表示装置３０１に対しキャラクタを詳細情報画面に移動表示させるデータを送信し、  地図情報表示装置３０１はキャラクタの移動表示アニメーションを開始し、移動完了後にサーバに対し移動完了を通知するデータを送信し、  サーバ２は詳細情報表示装置３０２に対しキャラクタが吸着している店舗の詳細情報を表示するデータを送信し、キャラクタが詳細情報画面に表示させるデータを送信し、  詳細情報表示装置３０２は上記受信した店舗の詳細情報を表示し、詳細情報画面にキャラクタをログイン表示し、キャラクタ表示エリアに到達するまでキャラクタの移動表示アニメーションを再生する。【選択図】  図１
2005250610.tif 000002
【特許請求の範囲】
【請求項１】
第１の表示装置と、前記第１の表示装置に表示された表示内容に関連する情報を表示する第２の表示装置と、前記第１の表示装置及び前記第２の表示装置を制御するサーバとを備えた表示システムにおいて、
前記サーバは、利用者の端末からの指示に応じて、前記第１の表示装置の表示画面上のオブジェクトの動作情報を生成し、前記オブジェクトの動作情報を前記第１の表示装置へ送信し、
前記第１の表示装置は、前記オブジェクトの動作情報に従って、前記第１の表示装置の表示画面上で前記オブジェクトを動作させ、前記オブジェクトの動作が完了した場合に、前記オブジェクトの動作完了通知を前記サーバへ送信し、
前記サーバは、前記オブジェクトの動作完了通知を受信した場合に、前記第１の表示装置に表示された表示内容に関連する情報を、前記第２の表示装置へ送信し、
前記第２の表示装置は、前記第１の表示装置に表示された表示内容に関連する情報を表示することを特徴とする表示システム。
【請求項２】
前記サーバは、前記第１の表示装置の表示画面上の前記オブジェクトの位置情報と前記第１の表示装置に対する前記第２の表示装置の相対的な位置情報に基づいて、前記第１の表示装置の表示画面上の前記オブジェクトの移動方向を決定し、前記オブジェクトの移動方向の情報を含む前記オブジェクトの動作情報を生成し、
前記オブジェクトの移動方向は、前記第１の表示装置の表示画面上で前記オブジェクトが前記第２の表示装置の設置されている側へ向かう方向であることを特徴とする請求項１に記載の表示システム。
【請求項３】
前記第１の表示装置は、前記第１の表示装置の表示画面上で前記オブジェクトの移動方向へ前記オブジェクトを連続的に移動させ、
前記第１の表示装置は、前記第１の表示装置の表示画面上で前記オブジェクトが前記第２の表示装置の設置されている側の端部に到達した場合に、前記オブジェクトの動作が完了したと判断することを特徴とする請求項２に記載の表示システム。
【請求項４】
前記サーバは、前記第１の表示装置の表示画面上の前記オブジェクトの位置情報と前記第１の表示装置に対する前記第２の表示装置の相対的な位置情報に基づいて、前記第１の表示装置の表示画面上の前記オブジェクトの移動先の位置を決定し、前記オブジェクトの移動先の位置の情報を含む前記オブジェクトの動作情報を生成し、
前記オブジェクトの移動先の位置は、前記第１の表示装置の表示画面上で、前記第２の表示装置の設置されている側の領域であることを特徴とする請求項１に記載の表示システム。
【請求項５】
前記第２の表示装置の設置されている側の領域は、前記第１の表示装置の表示画面上で、前記第２の表示装置の設置されている側の端部であることを特徴とする請求項４に記載の表示システム。
【請求項６】
前記第１の表示装置は、前記第１の表示装置の表示画面上で、前記第２の表示装置の設置されている側の領域まで前記オブジェクトを連続的に移動させ、
前記第１の表示装置は、前記第１の表示装置の表示画面上で前記オブジェクトが前記第２の表示装置の設置されている側の領域に到達した場合に、前記オブジェクトの動作が完了したと判断することを特徴とする請求項４に記載の表示システム。
【請求項７】
前記第１の表示装置は、前記第２の表示装置が前記第１の表示装置に表示された表示内容に関連する情報を表示している間、前記第１の表示装置の表示画面上で前記オブジェクトを非表示にし、
前記サーバは、前記第１の表示装置に表示された表示内容に関連する情報と共に前記オブジェクト及び前記オブジェクトの動作情報を、前記第２の表示装置へ送信し、
前記第２の表示装置は、前記第１の表示装置に表示された表示内容に関連する情報と共に前記オブジェクトを表示し、さらに、前記オブジェクトの動作情報に従って、前記第２の表示装置の表示画面上で前記オブジェクトを動作させることを特徴とする請求項１に記載の表示システム。
【請求項８】
前記第１の表示装置は、地図を表示し、
前記第２の表示装置は、前記地図上の店舗のうち前記オブジェクトが吸着する店舗の詳細情報を、前記第１の表示装置に表示された表示内容に関連する情報として表示することを特徴とする請求項１〜７の何れかに記載の表示システム。
【請求項９】
サーバからの指示に応じて表示する表示装置において、
利用者からの指示に応じて前記サーバが前記表示装置に表示された表示内容に関連する情報を他の表示装置に表示する場合に、前記表示装置の表示画面上のオブジェクトの動作情報を前記サーバから受信する受信手段と、
前記オブジェクトの動作情報に従って、前記表示装置の表示画面上で前記オブジェクトを動作させる処理手段と、
前記オブジェクトの動作が完了した場合に、前記オブジェクトの動作完了通知を前記サーバへ送信する送信手段とを備え、
前記サーバは、前記オブジェクトの動作完了通知を受信した場合に、前記表示装置に表示された表示内容に関連する情報を、前記他の表示装置へ送信し、
前記他の表示装置は、前記表示装置に表示された表示内容に関連する情報を表示することを特徴とする表示装置。
【発明の詳細な説明】
【技術分野】
【０００１】
本発明は、複数の表示装置を有するシステムに係り、特に、周辺地図と店舗などを表示する地図情報画面や店舗の詳細情報を表示する詳細情報画面などの複数の表示画面において、利用者が携帯電話を利用してキャラクタなどのオブジェクトを複数の表示画面上で移動表示するシステムに関する。
【背景技術】
【０００２】
マルチディスプレイシステムに関し、ディスプレイの画面から外方向にカーソルが向かったときにいずれのディスプレイの画面に移動するかを予め定義した位置定義テーブルを設けてこれを参照し、任意の位置に配置した複数のディスプレイの画面上を容易にカーソル移動可能とするマルチディスプレイシステムについては、特開平７−８４７２５号公報に記載されている。
【０００３】
その概要は、任意の位置に配置した複数のディスプレイと、これらのディスプレイの画面上でカーソルが外方向に向かって移動指示されたときにいずれのディスプレイの画面上に移動するかを定義する位置定義ファイルと、あるディスプレイの画面上でカーソル移動指示に対応して、当該カーソルが画面の端から外方向に向かったときに位置定義ファイルを参照して該当するディスプレイの画面上にカーソルを移動表示するカーソル表示手段とを備えるように構成するものである。
【０００４】
また、コンテンツに含まれるオブジェクトを提示装置間で移動させて提示可能なコンテンツ提供システム、コンテンツ受信装置、コンテンツ提供方法、コンテンツ受信方法、コンテンツ提供プログラムおよびコンテンツ受信プログラムについては、特開２００３−３３３５６３号公報に記載されている。
【０００５】
その概要は、コンテンツを映像および／または音声で提示する第１提示装置（ＴＶディスプレイ）と第１提示装置以外の第２提示装置（端末、ぬいぐるみ、自動楽器）とを備えるコンテンツの提示環境においてコンテンツを提供するコンテンツ提供システムであって、コンテンツに含まれるオブジェクト（キャラクタ、楽器）を第２提示装置に移動させて提示するためのオブジェクトに関する情報を提供することを特徴とするものである。
【０００６】
【特許文献１】特開平７−８４７２５号公報
【特許文献２】特開２００３−３３３５６３号公報
【発明の開示】
【発明が解決しようとする課題】
【０００７】
特開平７−８４７２５号公報記載のマルチディスプレイシステムでは、あるディスプレイの画面上のカーソルが別のディスプレイの画面に移動しても、複数のディスプレイを一台のコンピュータ本体が制御しているため、動画表示やリアルタイム映像放映など高い処理性能を要求する情報を表示する場合は、コンピュータの処理能力の多くを画面表示に割当てることになり、コンピュータ本体全体の処理性能に影響を与える。
【０００８】
また、複数のディスプレイの画面上をカーソルやキャラクタなどのオブジェクトが動き回るようなコンテンツを表示する場合に、複数のディスプレイを一台のコンピュータ本体が制御する上記のシステム構成では、複数ディスプレイ間の表示を調整する制御処理と各ディスプレイのコンテンツ表示処理を独立させることが容易ではないため、開発効率にも影響を与える。
【０００９】
また、特開２００３−３３３５６３号公報記載のコンテンツ提供システム、コンテンツ受信装置、コンテンツ提供方法、コンテンツ受信方法、コンテンツ提供プログラムおよびコンテンツ受信プログラムでは、ＴＶディスプレイなどの第１表示装置から端末や自動楽器などの第２表示装置にキャラクタなどのオブジェクトを移動させて提示する方法を提供しており、第１表示装置から第２表示装置への片方向へのキャラクタの移動表示は可能である。
【００１０】
しかし、第２表示示装置でのキャラクタの表示状態を第１表示装置に通知し、第１表示装置は受信したキャラクタの表示状態に応じて、第２表示装置またはそれ以外の第３の表示装置にキャラクタを表示させるなど、複数の表示装置間においてキャラクタの表示状態を双方向に通信しながら、複数の表示装置を連携させたキャラクタの表示は行うことはできない。
【００１１】
本発明の目的は、表示制御機能を有する複数の表示装置の画面を連携して情報を表示する複数画面表示システムを提供し、複数の表示装置間でキャラクタなどのオブジェクトの表示状態を通信しながら、キャラクタなどのオブジェクトを移動表示させることができる画面表示方法を提供することにある。
【課題を解決するための手段】
【００１２】
本発明は、サーバは利用者からの携帯電話やＰＤＡなどの携帯端末の操作により操作内容を受信すると、その操作内容に基づいて、表示装置の画面上に表示するオブジェクトの動作、例えば、現在表示されている画面から別の画面にキャラクタなどのオブジェクトを移動するなどのオブジェクトの動作に関する表示指示を第１の表示装置に送信し、第１の表示装置は受信した上記オブジェクトの動作に関する表示指示に基づいて、オブジェクトの動作表示に必要な情報、例えば、キャラクタなどのオブジェクトの動作アニメーション種類や移動先位置情報などを計算し、上記計算されたオブジェクトの動作表示に必要な情報に基づいて第１の表示装置の画面上にオブジェクトの動作表示を行い、オブジェクトの動作表示が完了した後に動作表示完了通知をサーバに送信する。
【００１３】
また、サーバが複数の表示装置とオブジェクトの動作に関するデータを送受信することにより、例えば、第１の表示装置から第２の表示装置へのオブジェクトの移動表示において、第１の表示装置におけるオブジェクトの移動表示が完了した後に、第２の表示装置におけるオブジェクトの移動表示を開始することにより、オブジェクトが複数の表示装置の画面間で連携した動作表示を行う。
【発明の効果】
【００１４】
本発明によれば、サーバは複数の表示装置に表示するオブジェクトの動作に関する情報のみ送信し、表示装置は受信したオブジェクトの動作に関する表示指示に基づいて、表示装置の画面上にオブジェクトの動作表示を行うため、サーバは表示装置にオブジェクトの動作などを指示するだけでよく、表示装置におけるオブジェクトなどの画面表示に関するサーバの処理負荷が軽減する。
【００１５】
本発明によれば、サーバは表示装置にオブジェクトの動作などを指示するだけでよいため、サーバにおける複数表示装置間の表示を調整する制御処理と各表示装置の画面上におけるキャラクタなどのオブジェクト（コンテンツ）表示処理を独立させることが容易になる。従って、性能が異なる複数の表示装置の画面を利用する場合や、表示装置の置き換えにより表示画面の大きさや表示装置の描画速度などの表示装置固有の性能が変わる場合でも、表示装置の画面上でのコンテンツ表示に関しては、各表示装置がサーバと独立して表示処理を行っているため、サーバ側のプログラムを修正する必要はない。
【００１６】
本発明によれば、複数の表示装置において、第１の表示装置におけるオブジェクトなどのコンテンツの動作表示が完了した後に、動作完了通知をサーバに送信することができるため、第１の表示装置におけるキャラクタなどのオブジェクトの動作表示の状況に応じて、第２の表示装置にキャラクタなどのオブジェクトの動作表示を指示することができる。
【００１７】
本発明によれば、第１の表示装置の表示内容に関連する情報を第２の表示装置に表示する場合に、第１の表示装置の表示画面上を、オブジェクトが、第２の表示装置の設置されている側に移動するため、利用者は、第１の表示装置の表示内容に関連する情報が、どの第２の表示装置に表示されるのかが容易に認識できる。
【発明を実施するための最良の形態】
【００１８】
以下、図面を用いて本発明の実施の形態を詳細に説明する。
【００１９】
本実施形態では、駅やデパートなどの人の集まる場所に、その周辺地図を表示する地図情報画面（主画面）と、地図情報画面に表示された店舗の詳細情報を表示する詳細情報画面（副画面）を設置し、利用者は携帯電話を利用して地図情報画面上に表示された利用者を表すキャラクタを（オブジェクトとして）操作することにより、地図情報画面上の店舗を動きまわり、気に入った店舗の詳細情報（地図情報に関連する情報）を詳細情報画面に表示する画面表示方法の例を用いる。キャラクタの代わりに、アイコンであってもよい。
【００２０】
ただし、本発明の技術的思想は、この例に限定されるものではない。
【００２１】
なお、オブジェクトはキャラクタなどの画像データや文字データであっても、または画像と文字から構成されたコンテンツであってもよい。
【００２２】
図１は、利用者が携帯電話１を利用して、地図情報表示装置３０１に表示されている利用者を表すキャラクタが吸着している店舗の詳細情報を詳細情報表示装置３０２に表示し、地図情報表示装置３０１上のキャラクタを詳細情報表示装置３０２に移動表示させる処理フローを示す。キャラクタの吸着とは、店舗上又は店舗付近にキャラクタが表示されていることをいう。
【００２３】
上記処理フローの説明は後述する。
【００２４】
図２に、上記処理を実行するための携帯電話１、サーバ２、地図情報画面３０１や詳細情報３０２などの表示装置３のハードウェア構成を示す。
【００２５】
携帯電話１とサーバ２は通信網４を介して接続されており、サーバ２には一台または複数台の表示装置３が接続されている。
【００２６】
携帯電話１は、上下左右を入力する十字キーや数字ボタンを利用して利用者からの入力を取得する入力機能１１、入力機能１１に入力されたデータをサーバに送信する送信機能１２から構成される。
【００２７】
なお、携帯電話１の代わりに上記の機能を備えたＰＤＡやノートＰＣのような携帯端末であってもよい。
【００２８】
通信網４は公衆のパケット通信網やアナログ回線網であり、赤外線、Ｂｌｕｅｔｏｏｔｈ、無線ＬＡＮなどのローカル通信を利用した通信網であってもよい。
【００２９】
サーバ２は、データを格納する記憶機能２１、携帯電話１や表示装置３とデータの送受信を行う送受信機能２２、携帯電話１や表示装置３からデータを受信し、表示装置３に画面表示の指示を与えるために、上記これらの機能を制御する制御機能２３から構成される。
【００３０】
表示装置３は、データを格納する記憶機能３１、サーバ２とデータの送受信を行う送受信機能３２、画面に映像、キャラクタ、文字情報などを表示する表示機能３４、サーバ３とデータを送受信し、表示機能３４に画面表示の指示を与えるために、上記これらの機能を制御する制御機能３３から構成される。
【００３１】
例えば、表示装置３は上記機能を有する専用のハードウェアであっても、パーソナルコンピュータのような汎用製品であってもよい。
【００３２】
なお、サーバ２は複数の表示装置３のいずれかの内部に保持された装置であってもよく、サーバ２と表示装置３は通信網を介して遠隔接続されていてもよい。
【００３３】
本実施形態では、地図情報を表示する地図情報表示装置および店舗の詳細情報を表示する詳細情報表示装置の二つの表示装置３から構成され、それぞれサーバ２と接続されている。
【００３４】
図３は、サーバ２内部の記憶機能２１に格納されている本実施形態の一覧情報２１０の一例を示す図である。
（ａ）表示装置番号一覧情報２１１は、サーバ２に接続されている表示装置３を管理するものであり、表示装置番号２１１１から構成される。
【００３５】
表示装置番号２１１１は、表示装置３を一意に特定する番号を示し、サーバ２が表示装置３とデータを送受信する際に利用される。
【００３６】
図３（ａ）の例における一つ目のデータ内容は、地図情報表示装置３０１を示す表示装置番号２１１１が１１であり、二つ目のデータ内容は、詳細情報表示装置３０２を示す表示装置番号２１１１が１２であることを示す。地図情報表示装置３０１に対して、詳細情報表示装置３０２は、１つであってもよいし、複数（例えば２個、４個）であってもよい。
（ｂ）店舗一覧情報２１２は、地図画面上に表示する店舗の情報を管理するものであり、店舗番号２１２１および店舗位置２１２２から構成される。
【００３７】
店舗番号２１２１は、地図画面上に表示する店舗を一意に特定する番号を示し、店舗位置２１２２は地図画面上に表示する店舗の位置データを示す。
【００３８】
店舗位置２１２２は、例えば、画面の大きさが縦１２８０ピクセルであり、横７６８ピクセルである場合は、画面左上の座標データ（位置情報）を（０、０）、画面右下の座標データを（１２８０、７６８）と表すことができる。
【００３９】
図３（ｂ）の例における一つ目のデータ内容は、店舗番号２１２１が２０１である店舗の店舗位置２１２２が（５０、１００）であることを示す。
【００４０】
なお、店舗一覧情報２１２は、システム起動時に地図情報画面に周辺地図や店舗を表示する際に、サーバ２から表示装置３に送信され、表示装置３の記憶機能３１において保持される。
（ｃ）キャラクタ番号一覧情報２１３は、地図情報画面または詳細情報画面などにおいて表示されているキャラクタを管理するものであり、キャラクタ番号２１３１から構成される。
【００４１】
キャラクタ番号２１３１は、地図情報画面または詳細情報画面などにおいて表示されているキャラクタを一意に特定する番号を示し、携帯電話１を操作する利用者に対応したキャラクタが割当てられる。
【００４２】
図３（ｃ）の例における一つ目のデータ内容は、一人目の携帯電話で操作するキャラクタのキャラクタ番号２１３１が３００１であり、二つ目のデータ内容は、二人目の携帯電話で操作するキャラクタのキャラクタ番号２１３１が３００２であることを示す。つまり、利用者ごとにキャラクタを割り当てるのが好ましい。
【００４３】
なお、上記キャラクタ番号一覧情報２１３で管理されているデータ数は、画面にログインしている、つまり表示装置３の画面に表示しているキャラクタの数である。
【００４４】
図６は、地図情報画面の一例を示す図である。
【００４５】
地図情報画面６上には、地図情報表示装置３０１が設置されている周辺地図が表示され、詳細情報画面に店舗の詳細情報を表示可能な店舗について、地図上に店舗図が表示されている。
【００４６】
店舗図は、例えば、店舗番号、店舗名、当該店舗が発行するクーポンの有無を示すクーポン図から構成される。
【００４７】
図６の左上の店舗図は、店舗番号６１１が２０１であり、店舗名６１３が山田ベーカリーであり、クーポン図６１４より当該店舗が発行するクーポンがあることを示す。
【００４８】
上記店舗図の店舗情報表示エリア６１２に、店舗名６１３、当該店舗が発行するクーポンの有無を示すクーポン図６１４を表示しているが、これら以外の店舗に関する情報を表示してもよい。
【００４９】
例えば、店舗情報表示エリア６１２には、現在店舗がオープンしているかクローズしているかを示す図や文字情報を表示してもよく、店舗情報表示エリアの色を変えたてもよく、あるいは店舗がオープンしている場合は店舗ボードにアニメーションを与え、店舗がオープンしていることが識別できるようにしてもよい。
【００５０】
また、地図情報画面や詳細情報画面の他に、店舗の広告を放映する広告情報画面がある場合は、現在広告を放映している店舗に関して、店舗情報表示エリア６１２に、広告放映中を示す図や文字情報を表示してもよい。
【００５１】
あるいは、詳細情報画面に詳細情報を表示している店舗に関して、店舗情報表示エリア６１２に、詳細情報表示中を示す図や文字情報を表示してもよい。
【００５２】
なお、店舗情報表示エリアは店舗番号の上下左右に表示することが可能であり、図６の左上の店舗図では店舗情報表示エリア６１２は店舗番号６１１の右側に、図６の左下の店舗図では店舗情報表示エリア６２２は店舗番号６２１の左側に表示されている。
【００５３】
この場合は、地図画面上の店舗を動き回るキャラクタは店舗番号と店舗情報表示エリアの近辺に配置される。
【００５４】
例えば、図６の左下の店舗図のように店舗情報表示エリア６２２が店舗番号６２１の左側に表示されている場合は、店舗番号の右側に一つ目のキャラクタ６１４を配置し、上側に二つ目のキャラクタを配置し、下側に三つ目のキャラクタを配置することが可能である。
【００５５】
また、図６のようにキャラクタ６４１が表示されており、詳細情報画面が地図情報画面の右側にある場合に、利用者が携帯電話を利用して店舗番号が２０２である店舗の詳細情報を表示させる操作を行うと、キャラクタ６４１は６４２のように詳細情報画面に移動し、６４１３のように画面の右端まで到着するとキャラクタは見えなくなり、キャラクタの表示は地図情報画面から詳細情報画面に移る。
【００５６】
つまり、詳細情報画面に、詳細情報を表示する場合には、キャラクタを非表示にする。但し、非表示にする代わりに、移動先（画面の右端）でキャラクタを表示したまま停止させてもよい。
【００５７】
図７は、詳細情報画面の一例を示す図である。
【００５８】
詳細情報画面７には、（ａ）店舗の詳細情報、（ｂ）キャラクタ、（ｃ）携帯電話の操作ガイドなどが表示される。
（ａ）店舗の詳細情報に関しては、店舗番号７１１は当該店舗を示す番号、店舗種別７１２は当該店舗が属する店舗のカテゴリ（例えば、食料品、衣料、日用品など）、店舗名７１３は当該店の名称、住所７２１は当該店舗の住所、電話７２２は当該店舗の電話番号、クーポン７２３はクーポンを発行している場合にはクーポンの詳細情報、営業日７２４は当該店舗の営業日や営業時間などの情報を示す。
【００５９】
上記これらの情報は文字情報であっても、画像情報であってもよい。
【００６０】
また、店舗ロゴ７１４は当該店舗を表すロゴ、詳細画像７２５は当該店舗の外観を撮影した写真、当該店舗のイメージ画像など、詳細情報として店舗が表示したい映像や画像などの情報を示す。
（ｂ）キャラクタに関しては、キャラクタ表示エリア７３０に地図情報画面から詳細情報画面に移動してきたキャラクタを待機表示させる。
【００６１】
図７の場合には、すでにある利用者が操作するキャラクタ７３１が当該店舗の詳細情報を表示中であり、他の利用者が操作するキャラクタ７３２が地図情報画面から移動してきて、７３３のように移動表示させながら、７３４のようにキャラクタ表示エリアの空いた場所に到着すると、そこで待機表示させることを示したものである。
【００６２】
なお、図７のように詳細情報画面には複数のキャラクタを表示し、詳細情報画面を共有すると位置付けてもよいし、詳細情報画面にはキャラクタを一つだけ表示し、当該キャラクタが利用する専用の詳細情報画面と位置付けてもよい。
（ｃ）携帯電話の操作ガイドに関しては、７４１のように携帯電話での操作方法を文字情報または画像情報として示したものである。
【００６３】
利用者が携帯電話１を利用して地図情報画面のキャラクタを移動表示させながら詳細情報画面に表示させるには、以下の三種類の処理から構成される。
（１）地図情報画面上に地図や店舗などを表示
（２）地図情報画面上の店舗間でキャラクタを移動表示
（３）地図情報画面上の店舗の詳細情報を詳細情報画面に表示
以下では、上記（１）から（３）の各処理の詳細を順に説明する。
（１）地図情報画面上に地図や店舗などを表示
システムが起動すると、サーバ２は地図情報表示装置３０１に地図や店舗を表示するためのデータを送信し、地図情報表示装置３０１は画面を表示する。
【００６４】
図４は本処理フローを示したものである。
【００６５】
ステップ２３１１では、サーバ２は記憶機能２１により管理している一覧情報２１０の中から店舗一覧情報２１２のすべてのデータを取得し、取得したデータを送受信機能２２により地図情報表示装置３０１に送信する。
【００６６】
このときの送信データはイベント情報として、（店舗一覧情報、（店舗番号Ａ、店舗位置Ａ）、（店舗番号Ｂ、店舗位置Ｂ）、…（店舗番号Ｚ、店舗位置Ｚ））のような形式で送信する。
【００６７】
また、地図情報表示装置３０１に表示する地図画像データ、または地図画像データの保管先場所を（例えば、ＵＲＬやパス名など）も送信する。
ステップ３３１１では、送受信機能３２によりサーバ２から送信された上記イベント情報を取得し、記憶機能３１により店舗一覧情報２１２として地図情報表示装置３０１内部に保持しておく。
【００６８】
ステップ３３１２では、上記ステップ３３１１において取得した店舗一覧情報２１２および地図画像データに基づいて、表示機能３４により画面に地図および店舗を表示する。
【００６９】
以上のステップにより、地図情報画面上に地図や店舗などを表示することが可能である。
【００７０】
なお、地図情報画面のヘッダ部に地図情報画面に関する画面番号やコメントを表示したい場合や、地図情報画面のフッタ部に携帯電話の操作ガイドを表示したい場合や、地図画面上にその他の情報を予め表示したい場合には、上記ステップ２３１１においてこれらの情報をイベント情報としてサーバ２から地図情報表示装置３０１に送信し、上記ステップ３３１２において地図画面表示装置３０１に表示することが可能である。
（２）地図情報画面上の店舗間でキャラクタを移動表示
利用者は携帯電話を利用して地図情報画面にログインし、利用者に割当てられたキャラクタで地図情報画面の店舗間を移動することが可能である。
【００７１】
なお、利用者は地図情報画面上のキャラクタを操作するために、携帯電話１の内部にキャラクタ操作のアプリケーション（プログラム）をインストールしているものとする。
【００７２】
あるいは、キャラクタを操作するためのＷＥＢページをサーバに準備しておき、利用者はそのＷＥＢにアクセスすることにより、キャラクタを操作してもよい。
【００７３】
あるいは、利用者の携帯電話からサーバにメールを送るなどの方法により、キャラクタを操作してもよい。
【００７４】
図５は本処理フローを示したものである。
【００７５】
ステップ１１２１では、利用者は携帯電話１の入力機能１１により、数字キーや十字キーを押してキャラクター操作の指示を行い、送信機能１２により入力されたキー情報をサーバ２に送信する。
【００７６】
例えば、携帯電話にインストールされたアプリケーションを起動させると、地図情報画面にキャラクタがログインし、携帯電話の十字キー（上下左右）を押すとキャラクタが上下左右の店舗に移動し、数字キー「０」を押すとキャラクタが現在吸着している店舗の詳細情報を詳細情報画面に表示させ、ソフトキーの左側を押すと地図情報画面からログアウトする、などのように携帯電話の各キーに操作の種類を割当てておく。
【００７７】
本ステップでは、利用者はアプリケーションを起動し、利用者を表すキャラクタがすでに地図情報画面上に表示されていると仮定し、十字キーの「上」、「下」、「左」、「右」のいずれかを押すことにより、キャラクタが現在吸着している店舗のそれぞれ一つ上、下、左、右に位置する店舗にキャラクタを移動表示させるように入力されたキー情報をサーバに送信する。
【００７８】
ステップ２３２１では、送受信機能２２により携帯電話１から送信された入力情報を受信し、送受信機能２２により利用者が携帯電話１から入力したキャラクタの操作に対応する指示をイベント情報として地図情報表示装置３０１に送信する。
【００７９】
ただし、最初にキャラクタが地図情報画面にログインした際に、キャラクタを一意に特定するキャラクタ番号２１３１を割当て、記憶機能２１により一覧情報２１０中のキャラクタ番号一覧情報２１３に追加し、キャラクタの映像データを地図情報表示装置３０１に送信し、地図情報画面上にキャラクタが表示されているものとする。
【００８０】
携帯電話１から取得したキー情報が、地図情報画面上の店舗間でキャラクタを移動させるための十字キー（上下左右）である場合は、まず、キャラクタ番号一覧情報２１３を検索し、利用者のキャラクタに対応するキャラクタ番号を取得する。
【００８１】
そして、予めサーバの記憶機能で保持している各店舗の上下左右に位置する店舗の番号をデータから、キャラクタが現在吸着している店舗から次に移動する店舗の番号を取得する。
【００８２】
例えば、キャラクタが店舗番号２０１である店舗に吸着しているときに、利用者が携帯電話から「下」に移動する操作を行った場合は、店舗番号が２０１である店舗の下に位置する店舗の店舗番号が２０２であれば、キャラクタが次に移動する店舗の店舗番号として２０２を取得する。
【００８３】
上記取得したキャラクタ番号と次に移動する店舗の店舗番号を送受信機能２２により地図情報表示装置３０１に送信する。
【００８４】
このときの送信データはイベント情報として、（キャラクタ移動、キャラクタ番号、店舗番号）のような形式で送信する。
【００８５】
ステップ３３２１では、送受信機能３２によりサーバ２からキャラクタ移動に関するイベント情報を受信し、店舗一覧情報２１２より受信した店舗番号に対応する店舗の位置データを取得する。
【００８６】
なお、図６のように移動先の店舗番号の上下左右にキャラクタが吸着できる表示エリアが確保されている場合は、現在吸着しているキャラクタと表示が重ならないように、上下左右のどの位置にキャラクタを表示するかを決定し、移動先の座標データを修正する。
【００８７】
例えば、店舗位置が（２００、３００）である店舗番号２０２の右側にキャラクタを移動表示させたい場合に、店舗番号の上下左右に表示するための差分が５０ピクセルであれば、キャラクタの移動先の位置データは（２５０、３００）と修正する。
【００８８】
ステップ３３２２では、表示機能３４によりキャラクタの移動表示アニメーションを開始し、キャラクタが現在吸着している場所から上記ステップ３３２１により取得された移動先位置に到着するまで移動表示アニメーションを続ける。
【００８９】
以上のステップにより、地図情報画面上の店舗間でキャラクタを移動表示することが可能である。
（３）地図情報画面上の店舗の詳細情報を詳細情報画面に表示
利用者は携帯電話を利用して、地図情報画面上でキャラクタが吸着している店舗の詳細情報を詳細情報画面に表示し、かつ地図情報画面上のキャラクタを詳細情報画面に移動表示させることが可能である。
【００９０】
図１は本処理フローを示したものである。
【００９１】
ステップ１１３１では、利用者は携帯電話１の入力機能１１により、数字キーや十字キーを押してキャラクター操作の指示を行い、送信機能１２により入力されたキー情報をサーバ２に送信する。
【００９２】
本実施形態では、数字キー「０」を押すとキャラクタが現在吸着している店舗の詳細情報を詳細情報画面に表示させるように携帯電話の各キーに操作の種類を割当てておく。
【００９３】
本ステップでは、携帯電話１の利用者が数字キー「０」を押すと、送信機能１２により入力されたキー情報をサーバに送信する。
【００９４】
ステップ２３３１では、送受信機能２２により携帯電話１から送信された入力情報を受信し、送受信機能２２により利用者が携帯電話１から入力したキャラクタの操作に対応する指示をイベント情報として地図情報表示装置３０１に送信する。
【００９５】
まず、キャラクタ番号一覧情報２１３を検索し、利用者のキャラクタに対応するキャラクタ番号２１３１を取得するとともに、表示装置番号一覧情報２１１を検索し、地図情報画面に対応する表示装置番号２１１１を取得する。
【００９６】
そして、予めサーバ２に内部に保持している地図情報画面に対する詳細情報画面の位置、例えば、「上」、「下」、「左」、「右」のいずれかを取得する。
【００９７】
ここで、上記取得した表示装置番号を示す表示装置、つまりに地図情報表示装置３０１に対して、サーバ２の送受信機能２２によりキャラクタ番号と詳細情報画面の位置を送信する。
【００９８】
このときの送信データはイベント情報として、（キャラクタ詳細情報画面移動、キャラクタ番号、詳細情報画面位置）のような形式で送信する。
【００９９】
ステップ３３３１では、送受信機能３２によりサーバ２からキャラクタの詳細情報画面への移動に関するイベント情報を受信し、キャラクタの移動表示を行うために、現在のキャラクタの位置と受信した詳細情報画面の位置に基づいて、キャラクタの移動先の位置データを計算する。
【０１００】
例えば、現在のキャラクタの表示位置が（２５０、３００）であり、本ステップでサーバ２から取得した詳細情報画面の位置が「右」、つまり地図情報画面の右隣に地図情報画面が設置されている場合は、キャラクタの移動先の位置データは（１２８０、３００）である。ここで“１２８０”は、地図情報画面の右端のＸ座標である。つまり、キャラクタは、地図情報画面を、右側へ水平に移動したこととなる。
【０１０１】
なお、本実施形態では、キャラクタは水平または垂直に地図情報画面に移動することを想定し、移動先の位置データを計算したが、キャラクタの詳細情報画面での移動先を考慮に入れて、地図情報画面での移動先の位置データを計算してもよい。
【０１０２】
ステップ３３３２では、表示機能３４によりキャラクタの移動表示アニメーションを開始し、キャラクタが現在吸着している場所から上記ステップ３３３１により取得された移動先位置に到着するまで移動表示アニメーションを続ける。
【０１０３】
なお、キャラクタは図６のように移動先まで直進しながら移動しても、自由に動きながら移動してもよい。この移動表示アニメーションにより、キャラクタは、表示画面上を連続的に移動する。この移動表示アニメーションのプログラムは、各表示装置が予め保有（記憶）していてもよいし、サーバ２から各表示装置へ送信してもよい。
【０１０４】
ステップ３３３３では、キャラクタが移動先まで到着すると、キャラクタの移動表示が完了し、詳細情報画面に詳細情報を表示するとともに、詳細情報画面でのキャラクタの移動表示を開始してもよいことをサーバ２に通知するために、賞受信機能３２により移動表示が完了したキャラクタ番号を送信する。
【０１０５】
このときの送信データはイベント情報として、（キャラクタ詳細情報画面移動完了、キャラクタ番号）のような形式で送信する。
【０１０６】
ステップ２３３２では、サーバ２は地図情報画面から上記ステップ３３３３で送信されたイベント情報を受信し、表示装置番号一覧情報２１１を検索して、詳細情報画面に対応する表示装置番号２１１１を取得し、サーバ内部で管理していた当該キャラクタが吸着していた店舗番号の詳細情報を取得した表示装置に送信する。
【０１０７】
このときの送信データはイベント情報として、（詳細情報表示、店舗番号、店舗種別、店舗名、住所、電話、クーポン詳細情報、営業日、店舗ロゴ、詳細画像）のような形式で送信する。
【０１０８】
なお、店舗ロゴと詳細画像は画像ファイルや映像ファイルの置き場所を示すＵＲＬであっても、実際のデータであってもよい。
【０１０９】
また、店舗の詳細情報は上記のイベント情報に含まれるデータ内容に限らず、店舗のホームページ、電子メールアドレス、店舗からコメント、映像情報などが含まれていてもよい。
【０１１０】
ステップ３３３４では、詳細情報画面３０２は送受信機能３２によりサーバ２から上記ステップ２３３２で送信された詳細情報表示に関するイベント情報を受信し、表示機能３４により店舗の詳細情報を表示する。
【０１１１】
図７は当該店舗に関する詳細情報の表示の一例を示したものである。
【０１１２】
ステップ２３３３では、地図情報画面で移動表示が完了したキャラクタを詳細情報画面にログインさせ、詳細情報画面のキャラクタの表示エリアまでキャラクタを移動表示させる指示を詳細情報画面に対して行うために、詳細情報画面にログインするキャラクタ番号を詳細情報表示装置に送信する。
【０１１３】
このときの送信データはイベント情報として、（詳細情報画面キャラクタログイン、キャラクタ番号、キャラクタ画像ファイル、詳細情報画面位置）のような形式で送信する。
【０１１４】
なお、キャラクタ画像ファイルは画像データの格納先ＵＲＬを表しても、実際のデータであってもよい。
【０１１５】
ステップ３３３５では、送受信機能３２によりサーバ２からキャラクタの詳細情報画面へのログインに関するイベント情報を受信し、キャラクタの移動表示を行うために、受信した詳細情報画面位置に基づいて、キャラクタのログインの位置データとキャラクタの移動先の位置データを計算する。
【０１１６】
例えば、本ステップでサーバ２から取得した詳細情報画面の位置が「右」、つまり地図情報画面の右隣に地図情報画面が設置されている場合は、キャラクタのログイン位置が（０、３８４）であり、
キャラクタの表示エリアが予め定まっており、現在同じ詳細画面にすでにログインしているキャラクタが存在しない場合は、キャラクタの表示エリアの右端から順にキャラクタが表示されるように、例えば、移動先を（１２００、７４０）と計算する。キャラクタが詳細情報画面へログインしている場合は、携帯電話１からのキャラクタ移動の指示は、地図情報画面ではなく、サーバ経由で、詳細情報画面へ送信されるのが好ましい。これにより、利用者は、詳細情報画面上でキャラクタを移動させることができる。
【０１１７】
なお、キャラクタのログイン位置は左側縦方向の中心点である場合を想定したが、地図情報画面での移動表示を考慮に入れて、詳細情報画面でのログインの位置データを計算してもよい。
【０１１８】
また、詳細情報画面でのキャラクタ表示は、定められたキャラクタの表示エリア内部のみと想定し、移動表示アニメーションを行わずに、キャラクタの表示エリア内部にログイン表示してもよい。
【０１１９】
ステップ３３３６では、表示機能３４によりキャラクタの移動表示アニメーションを開始し、キャラクタがログインした位置から上記ステップ３３３５により取得された移動先位置に到着するまで移動表示アニメーションを続ける。
【０１２０】
なお、キャラクタは図７のように移動先まで直進しながら移動しても、自由に動きながら移動してもよい。
【０１２１】
以上のステップにより、地図情報画面上の店舗の詳細情報を詳細情報画面に表示するとともに、地図情報画面上のキャラクタを詳細情報画面に移動表示させることが可能である。
【０１２２】
また、複数の表示装置の画面は、同じ種類の内容を表示する画面であってもよい。例えば、地図情報画面が複数設置され、キャラクタなどのオブジェクトが複数の地図情報画面を連続して動き回ることや、利用者からのメッセージを文字情報（または画像情報として）複数の画面上を連続して、例えば、右から左に移動表示させることも可能である。
【産業上の利用可能性】
【０１２３】
特に駅や商業施設など人の多い場所において周辺地図を表示する地図情報画面、地図上の店舗の広告や案内を表示する広告情報画面、地図上の店舗の詳細情報を表示する詳細情報画面などを設置し、利用者が携帯電話を利用して地図情報画面上のキャラクタを操作することにより、キャラクタが地図情報画面上の店舗または地図情報画面と詳細情報画面間などの複数の表示画面上を動き回り、利用者が気に入った店舗の詳細情報を見たい場合に、詳細情報画面に店舗の詳細情報を表示するとともに、キャラクタを地図情報画面から詳細情報画面に移動表示することにより、視覚的効果を演出しながら店舗の詳細情報を表示させることができるシステムに適用して有効な技術に関するものである。
【図面の簡単な説明】
【０１２４】
【図１】本発明の実施形態の携帯電話１、サーバ２、地図情報表示装置３０１、および詳細情報表示装置３０２において地図情報画面上のキャラクタを利用して店舗の詳細情報を詳細情報画面に表示する処理フローの概要を示す図である。
【図２】本発明に係る携帯電話、サーバ、および表示装置の概略構成を示す図である。
【図３】実施形態の一覧情報の一例を示す図である。
【図４】実施形態のサーバ２および地図情報表示装置３０１において地図情報画面に店舗を表示する処理フローの概要を示す図である。
【図５】実施形態の携帯電話１、サーバ２、および地図情報表示装置３０１において地図情報画面上のキャラクタを店舗間で移動表示する処理フローの概要を示す図である。
【図６】実施形態の地図情報画面の一例を示す図である。
【図７】実施形態の詳細情報画面の一例を示す図である。
【符号の説明】
【０１２５】
１…携帯電話、１１…入力機能、１２…送信機能、２…サーバ、２１…記憶機能、２２…送受信機能、２３…制御機能、３…表示装置、３１…記憶機能、３２…送受信機能、３３…制御機能、３４…表示機能、３０１…地図情報表示装置、３０２…詳細情報表示装置、４…通信網。
【図１】
2005250610.tif 000003
【図２】
2005250610.tif 000004
【図３】
2005250610.tif 000005
【図４】
2005250610.tif 000006
【図５】
2005250610.tif 000007
【図６】
2005250610.tif 000008
【図７】
2005250610.tif 000009